(57)【要約】【課題】変形を防止して長期間に亘って繰り返し使用することができるとともに、複数枚の紙を収納空間内に容易に収納することができ、さらに、紙が収納空間内で変形してしまうことを防止することができる紙収納ケースを提供する。【解決手段】紙収納ケース１０は、シート状の脂取り紙Ｐを収納可能な収納空間Ｋを有する樹脂製の本体部１１と、この本体部１１に取り付けられるとともに収納空間Ｋを外部に対して開閉可能とする樹脂製の蓋部２１と、収納空間Ｋ内に収納されるとともに脂取り紙Ｐを複数枚に束ねて収容可能な収容体Ｒとから構成されている。【選択図】図１
0003160451.tif 000002
【実用新案登録請求の範囲】
【請求項１】
シート状の紙を収納可能な収納空間を有する樹脂製又は金属製の本体部と、
前記本体部に取り付けられるとともに前記収納空間を外部に対して開閉可能とする樹脂製又は金属製の蓋部と、
前記収納空間内に収納されるとともに前記紙を複数枚に束ねて収容可能な収容体と、を備えたことを特徴とする紙収納ケース。
【請求項２】
前記本体部の内面には、前記収納空間内の前記収容体に係止して、前記収容体の前記収納空間からの脱落を規制する係止部が設けられていることを特徴とする請求項１に記載の紙収納ケース。
【請求項３】
前記蓋部における前記収納空間側の面には鏡が設けられていることを特徴とする請求項１又は請求項２に記載の紙収納ケース。
【請求項４】
前記紙は脂取り紙又はメガネ拭きであることを特徴とする請求項１〜請求項３のいずれか一項に記載の紙収納ケース。
【考案の詳細な説明】
【技術分野】
【０００１】
本考案は、シート状の紙を収納する紙収納ケースに関する。
【背景技術】
【０００２】
例えば、額や鼻等の顔の表面に分泌された余分な脂分を吸い取るシート状の脂取り紙を収納する紙収納ケースとして、例えば特許文献１の携帯用紙箱がある。特許文献１の携帯用紙箱は紙から成形されるとともに、収納された紙を取り出すスリット状の開口部を備えた内箱と、内箱を引き出し式に挿入可能な外箱とから構成されている。内箱には係合部が設けられるとともに、外箱の底面には内箱の係合部と係合可能な開口部が設けられている。そして、外箱内に内箱が挿入されることで携帯用紙箱が形成されるとともに、外箱から内箱を引き出すことで、内箱の開口部から紙を容易に取り出すことができる。さらに、外箱から内箱を引き出した際には、内箱の係合部と外箱の開口部とが係合されることで、内箱が外箱から抜脱しないようになっている。
【先行技術文献】
【特許文献】
【０００３】
【特許文献１】実開平５−７５１７９号公報
【考案の概要】
【考案が解決しようとする課題】
【０００４】
しかしながら、特許文献１の携帯用紙箱は紙製であるため、外箱から内箱を引き出したり、内箱の開口部から紙を取り出したりする操作を繰り返し行うと、携帯用紙箱自体が変形してしまい、一つの携帯用紙箱を長期間に亘って繰り返し使用することができなくなってしまう。また、携帯用紙箱が変形してしまうと、脂取り紙の詰め替えが行い難くなってしまう。特に、脂取り紙が複数枚に束ねられた状態では、脂取り紙の縁が束から飛び出して内箱内へ挿入し難くなってしまう。さらに、例えば、脂取り紙が収納された状態の携帯用紙箱を鞄に入れて携帯する場合、鞄の中で携帯用紙箱が潰れて変形してしまうと、脂取り紙も収納空間内で変形してしまう場合がある。
【０００５】
なお、こうした問題は、脂取り紙を収納する紙収納ケースに限らず、例えば、シート状のメガネ拭き等を収納する紙収納ケースにおいても、概ね共通したものとなっている。
本考案は、このような従来の技術に存在する問題点に着目してなされたものであり、その目的は、変形を防止して長期間に亘って繰り返し使用することができるとともに、複数枚の紙を収納空間内に容易に収納することができ、さらに、紙が収納空間内で変形してしまうことを防止することができる紙収納ケースを提供することにある。
【課題を解決するための手段】
【０００６】
上記目的を達成するために、請求項１に記載の考案は、シート状の紙を収納可能な収納空間を有する樹脂製又は金属製の本体部と、前記本体部に取り付けられるとともに前記収納空間を外部に対して開閉可能とする樹脂製又は金属製の蓋部と、前記収納空間内に収納されるとともに前記紙を複数枚に束ねて収容可能な収容体と、を備えたことを要旨とする。
【０００７】
この考案によれば、本体部及び蓋部が樹脂製又は金属製からなるため、蓋部を開閉させて収納空間を外部に対して開閉させたり、収納空間内に収納された紙を取り出したりする操作を繰り返し行っても、紙収納ケース自体が変形してしまうことがなく、紙収納ケースを長期間に亘って繰り返し使用することができる。また、複数枚に束ねた紙が収容された収容体は、変形していない収納空間に収納されるため、紙を収納空間内に容易に収納することができる。さらに、紙収納ケースを鞄に入れて携帯する場合、鞄の中で紙収納ケースが潰れて変形してしまうことがないため、収納空間内で紙が変形してしまうことを防止することができる。
【０００８】
請求項２に記載の考案は、請求項１に記載の考案において、前記本体部の内面には、前記収納空間内の前記収容体に係止して、前記収容体の前記収納空間からの脱落を規制する係止部が設けられていることを要旨とする。
【０００９】
この考案によれば、収納空間が外部に対して開放されている場合であっても、収容体に係止部が係止しているため、収容体が収納空間内から脱落してしまうことを防止することができる。
【００１０】
請求項３に記載の考案は、請求項１又は請求項２に記載の考案において、前記蓋部における前記収納空間側の面には鏡が設けられていることを要旨とする。
この考案によれば、使用者は蓋部を開くだけで顔を鏡に映し出すことができる。よって、紙収納ケースとは別に鏡を用意する必要がなく、使用者の手間を省くことができる。
【００１１】
請求項４に記載の考案は、請求項１〜請求項３のいずれか一項に記載の考案において、前記紙は脂取り紙又はメガネ拭きであることを要旨とする。
脂取り紙又はメガネ拭きが収納された紙収納ケースは、鞄に入れて携帯することが多い。この考案によれば、脂取り紙又はメガネ拭きが収納された状態の紙収納ケースを鞄に入れて携帯する場合、鞄の中で紙収納ケースが潰れて変形してしまい、脂取り紙又はメガネ拭きが収納空間内で変形してしまうことを防止することができる。
【考案の効果】
【００１２】
この考案によれば、変形を防止して長期間に亘って繰り返し使用することができるとともに、複数枚の紙を収納空間内に容易に収納することができ、さらに、紙が収納空間内で変形してしまうことを防止することができる。
【図面の簡単な説明】
【００１３】
【図１】実施形態における紙収納ケースを示す斜視図。
【図２】紙収納ケースの概観斜視図。
【図３】本体部の平面図。
【図４】図３におけるＡ−Ａ線断面図。
【図５】蓋部の平面図。
【図６】図５におけるＢ−Ｂ線断面図。
【図７】収容体を示す斜視図。
【図８】収容体の展開図。
【図９】別の実施形態における紙収納ケースを示す斜視図。
【考案を実施するための形態】
【００１４】
以下、本考案を脂取り紙を収納する紙収納ケースに具体化した一実施形態を図１〜図８にしたがって説明する。
図１及び図２に示すように、紙収納ケース１０は、シート状の脂取り紙Ｐを複数枚収納可能な収納空間Ｋを有する樹脂材料製の本体部１１と、本体部１１に取り付けられるとともに収納空間Ｋを外部に対して開閉可能とする樹脂材料製の蓋部２１と、収納空間Ｋ内に収納されるとともに脂取り紙Ｐを複数枚に束ねて収容可能な収容体Ｒとを備えている。
【００１５】
まず、本体部１１について説明する。
図３及び図４に示すように、本体部１１は平面視矩形板状の底部１２を有している。底部１２の一長側縁部には、第１側壁１３が底部１２の一端面に対して直交する方向へ延びるように設けられている。また、底部１２の他長側縁部には、第２側壁１４及び第３側壁１５が底部１２の一端面に対して直交する方向へ延びるように設けられている。第２側壁１４と第３側壁１５とは、底部１２の長手方向において離間している。さらに、底部１２の一短側縁部には、第１側壁１３と第２側壁１４とを繋ぐ第４側壁１６が底部１２の一端面に対して直交する方向へ延びるように設けられている。また、底部１２の他短側縁部には、第１側壁１３と第３側壁１５とを繋ぐ第５側壁１７が底部１２の一端面に対して直交する方向へ延びるように設けられている。そして、本体部１１において、底部１２及び第１〜第５側壁１３〜１７により収納空間Ｋが区画形成されている。
【００１６】
第１側壁１３には、長手方向に沿って延びる凹部１３ａが形成されている。また、凹部１３ａにおいて、長手方向に沿う方向に対向する面には回動用係合凸部１３ｂが互いに対向する位置に設けられている。また、底部１２の側面であって、第２側壁１４と第３側壁１５との間の部位には、開閉用係合凸部１２ｂが二つ設けられている。
【００１７】
第４側壁１６の開口側内面には係止部１８が収納空間Ｋ側に延在するように設けられている。係止部１８における底部１２側の面と、この面に対向する底部１２の底面との間には隙間が設けられている。また、第５側壁１７の開口側内面には係止部１９が収納空間Ｋ側に延在するように設けられている。係止部１９における底部１２側の面と、この面に対向する底部１２の底面との間には隙間が設けられている。
【００１８】
次に、蓋部２１について説明する。
図５及び図６に示すように、蓋部２１は平面視矩形板状をなすとともに、蓋部２１における収納空間Ｋ側の一端面には装着凹部２５が形成されている。装着凹部２５には鏡Ｍが装着されている。
【００１９】
また、蓋部２１において、本体部１１に対して取り付けられる側の一長側縁部には、一端面に対して直交する方向へ延びる回動用延設部２３が設けられている。回動用延設部２３における長手方向に沿う長さは、本体部１１の凹部１３ａにおける長手方向に沿う長さよりも僅かに短くなっており、回動用延設部２３は凹部１３ａ内に挿入可能になっている。また、回動用延設部２３の内面には、長手方向に沿って延びる溝２３ａが形成されている。さらに、回動用延設部２３における長手方向に沿う両端面には、本体部１１の回動用係合凸部１３ｂと係合可能な回動用係合孔２３ｂが互いに対向する位置に形成されている。回動用係合孔２３ｂは、溝２３ａ内に連通している。そして、回動用延設部２３が凹部１３ａ内に挿入されて、回動用係合凸部１３ｂと回動用係合孔２３ｂとが互いに係合されることで、蓋部２１は本体部１１に対して回動自在に取り付けられる。
【００２０】
また、本体部１１に対して開閉される側の他長側縁部には、一端面に対して直交する方向へ延びる開閉用延設部２２が設けられている。開閉用延設部２２における長手方向に沿う長さは、本体部１１における第２側壁１４と第３側壁１５との間の長さよりも僅かに短くなっており、開閉用延設部２２は第２側壁１４と第３側壁１５との間に挿入可能になっている。また、開閉用延設部２２における回動用延設部２３と対向する側の面には、本体部１１の開閉用係合凸部１２ｂと係合可能な開閉用係合穴２２ｂが二つ形成されている。
【００２１】
開閉用係合凸部１２ｂと開閉用係合穴２２ｂとが互いに係合されることで、蓋部２１により収納空間Ｋが閉じられた状態が維持され、使用者の意に反して、蓋部２１が開いて収納空間Ｋが開放されることが規制されている。
【００２２】
図１に示すように、本実施形態における脂取り紙Ｐは、複数枚に束ねられて収容体Ｒに収容された状態で、収容体Ｒごと収納空間Ｋ内に収納されて使用される。
図７及び図８に示すように、収容体Ｒは、平面矩形状の底部Ｒ１と、この底部Ｒ１に折線Ｒａを介して連設された下折込部Ｒ２と、下折込部Ｒ２における長手方向側の両側縁部に折線Ｒｂ，Ｒｃを介して連設された左折込部Ｒ３及び右折込部Ｒ４とを有する一枚の紙を折り曲げることで形成される。
【００２３】
収容体Ｒが形成されるまでの手順としては、まず、底部Ｒ１に対して下折込部Ｒ２を折線Ｒａに沿って折り曲げる。次に、下折込部Ｒ２に対して左折込部Ｒ３及び右折込部Ｒ４を折線Ｒｂ，Ｒｃに沿って、左折込部Ｒ３及び右折込部Ｒ４が下折込部Ｒ２の裏面側と重合するように折り曲げ、左折込部Ｒ３及び右折込部Ｒ４を底部Ｒ１の裏面に対して糊付けする。これにより、収容体Ｒに脂取り紙Ｐを収容可能な収容部Ｓが形成される。
【００２４】
収容体Ｒは、下折込部Ｒ２の両側縁部が、係止部１８，１９における底部１２側の面と、この面に対向する底部１２の底面との間の隙間に挿入され、且つ下折込部Ｒ２側が第２側壁１４及び第３側壁１５側になるように収納空間Ｋ内に収納される。これにより、収容体Ｒの上面に係止部１８，１９における底部１２側の面が係止して、収容体Ｒが収納空間Ｋ内から外部へ脱落することが規制されている。
【００２５】
次に、上記構成における紙収納ケース１０の使用方法について説明する。なお、脂取り紙Ｐは、既に収容体Ｒの収容部Ｓに複数枚収容された状態で、収容体Ｒごと収納空間Ｋ内に収納されているものとする。
【００２６】
まず、蓋部２１の開閉用延設部２２に対して指を引っ掛けるとともに、蓋部２１の上面側に向けて力を加えて蓋部２１を開く。これにより、収納空間Ｋが外部に対して開放されて、脂取り紙Ｐを一枚ずつ取り出して使用することができる。また、このとき、蓋部２１の一端面には鏡Ｍが装着されているため、使用者は本体部１１に対して蓋部２１を開くだけで顔を鏡Ｍに映し出すことができ、自分の顔を見ながら脂取り紙Ｐを使用することができる。
【００２７】
また、収納空間Ｋ内に収納されていた脂取り紙Ｐが無くなり、新たな脂取り紙Ｐを収納空間Ｋ内に詰め替える場合には、蓋部２１を開けることで収納空間Ｋを開放するとともに収容体Ｒを収納空間Ｋから取り出し、新たな脂取り紙Ｐが複数枚束ねられた状態の収容体Ｒを収納空間Ｋ内に詰め替える。
【００２８】
上記実施形態では以下の効果を得ることができる。
（１）本体部１１及び蓋部２１は樹脂材料からなる。よって、蓋部２１を開閉させて収納空間Ｋを外部に対して開閉させたり、収納空間Ｋ内に収納された脂取り紙Ｐを取り出したりする操作を繰り返し行っても、紙収納ケース１０自体が変形してしまうことがなく、紙収納ケース１０を長期間に亘って繰り返し使用することができる。また、複数枚に束ねた紙が収容された収容体Ｒは、変形していない収納空間Ｋ内に収納されるため、脂取り紙Ｐを収納空間Ｋ内に容易に収納することができる。さらに、紙収納ケース１０を鞄に入れて携帯する場合、鞄の中で紙収納ケース１０が潰れて変形してしまうことがないため、収納空間Ｋ内で脂取り紙Ｐが変形してしまうことを防止することができる。
【００２９】
（２）第４側壁１６及び第５側壁１７には係止部１８，１９が設けられるとともに、収容体Ｒは、下折込部Ｒ２の両側縁部が、係止部１８，１９における底部１２側の面と、この面に対向する底部１２の底面との間の隙間に挿入されるように収納空間Ｋ内に収納される。よって、収納空間Ｋが外部に対して開放されている場合であっても、収容体Ｒに係止部１８，１９が係止しているため、収容体Ｒが収納空間Ｋ内から脱落してしまうことを防止することができる。
【００３０】
（３）蓋部２１における収納空間Ｋ側の一端面には鏡Ｍが設けられている。よって、使用者は蓋部２１を開くだけで顔を鏡Ｍに映し出すことができる。よって、紙収納ケース１０とは別に鏡を用意する必要がなく、使用者の手間を省くことができる。
【００３１】
なお、上記実施形態は以下のように変更してもよい。
○  図９に示す実施形態のように、収容体Ｒは、下折込部Ｒ２側が第１側壁１３側になるように収納空間Ｋ内に収納されていてもよい。これによれば、脂取り紙Ｐが第２側壁１４及び第３側壁１５側に配置されるとともに、第２側壁１４と第３側壁１５との間に指を挿入して、脂取り紙Ｐを摘み易くなり、脂取り紙Ｐを紙収納ケース１０から容易に取り出すことができる。なお、下折込部Ｒ２側が第１側壁１３側になるように収納空間Ｋ内に収納された状態において、下折込部Ｒ２の両側縁部が、係止部１８，１９における底部１２側の面と、この面に対向する底部１２の底面との間の隙間に挿入されるようにしてもよい。
【００３２】
○  実施形態において、本体部１１及び蓋部２１は樹脂製であったが、これに限らず、金属製であってもよい。
○  実施形態において、本体部１１は樹脂製であるとともに、蓋部２１は金属製であってもよい。
【００３３】
○  実施形態において、本体部１１は金属製であるとともに、蓋部２１は樹脂製であってもよい。
○  実施形態において、第４側壁１６及び第５側壁１７に設けられた係止部１８，１９を削除してもよい。
【００３４】
○  実施形態において、蓋部２１における収納空間Ｋ側の一端面に鏡Ｍを設けなくてもよい。
○  本考案を、脂取り紙Ｐを収納する紙収納ケース１０に適用したが、これに限らず、シート状のメガネ拭き等を収納する紙収納ケースに適用してもよい。また、紙には、シート状の樹脂フィルムも含む。
【符号の説明】
【００３５】
Ｋ…収納空間、Ｍ…鏡、Ｐ…紙としての脂取り紙、Ｒ…収容体、１０…紙収納ケース、１１…本体部、１８，１９…係止部、２１…蓋部。
【図１】
0003160451.tif 000003
【図２】
0003160451.tif 000004
【図３】
0003160451.tif 000005
【図４】
0003160451.tif 000006
【図５】
0003160451.tif 000007
【図６】
0003160451.tif 000008
【図７】
0003160451.tif 000009
【図８】
0003160451.tif 000010
【図９】
0003160451.tif 000011